(57)【要約】【課題】握力がなくなった高齢者や障害者でも、肘に体重を掛けて便器への立ち座り行為が可能となる肘掛けを提供する。【解決手段】便器２が設置されたトイレ空間１の側方の壁面３に設置された肘掛け４であって、便器２への着座時又は便器２から立ち上がる時に、使用者の肘を置くことのできる肘置き部４１の後側に、上方へ立ち上げて立ち上がり部４２が形成され、肘置き部４１の前側には、前側へ向かって上傾状に傾斜面４３が形成されてなる表面が軟質材で構成された肘掛け。【選択図】図１
2009119081.tif 000002
【特許請求の範囲】
【請求項１】
便器が設置されたトイレ空間の側方の壁面に設置された肘掛けであって、
便器への着座時又は便器から立ち上がる時に、使用者の肘を置くことのできる肘置き部の後側に、上方へ立ち上げて立ち上がり部が形成され、前記肘置き部の前側には、前側へ向かって上傾状に傾斜面が形成されてなることを特徴とする肘掛け。
【請求項２】
前記傾斜面の前端側に、手を置くことのできる手置き部が形成されてなる請求項１に記載の肘掛け。
【請求項３】
前記肘置き部および前記傾斜面は表面が軟質材で構成されてなる請求項１又は請求項２に記載の肘掛け。
【発明の詳細な説明】
【技術分野】
【０００１】
本発明は、便器への立ち座り時に利用することのできる肘掛けに関するものである。
【背景技術】
【０００２】
従来、特許文献１に開示されているように、便器の傍にフレームを立て、フレームに便器の両側方を前方に延びる上下回動可能なアームレストを取り付けて、このアームレストを高齢者や障害者の身体の条件に合わせて高さ調整できるように構成したものが存在する。
【特許文献１】特開２００６−１０９８９３号公報
【発明の開示】
【発明が解決しようとする課題】
【０００３】
上記特許文献１の構造では、アームレストに手を引っ掛けることはできるが、握力がなくなってしまった高齢者や障害者にとっては、便器への立ち座り時に身体を支えることが困難で、使い辛いという問題点があった。
【課題を解決するための手段】
【０００４】
本発明は、握力がなくなった高齢者や障害者でも体重を掛けて便器への立ち座りが可能となる肘掛けを提供することを目的の１つとし、この目的の少なくとも一部を達成するために以下の手段を採った。
本発明は、便器が設置されたトイレ空間の側方の壁面に設置された肘掛けであって、便器への着座時又は便器から立ち上がる時に、使用者の肘を置くことのできる肘置き部の後側に、上方へ立ち上げて立ち上がり部が形成され、前記肘置き部の前側には、前側へ向かって上傾状に傾斜面が形成されてなることを要旨とする。
【発明の効果】
【０００５】
肘置き部に肘を載せて体重を掛けても、後側に立ち上がり部が形成されているため、肘が良好に引っ掛かり、肘が滑り落ちることがなく、しかも前方側には傾斜面が形成されているため、腕をこの傾斜面に載せると力が入りやすい姿勢となり、握力がなくなった高齢者や障害者でも体重を掛けて便器への立ち座りが可能となる。
【０００６】
また、本発明の肘掛けは、前記傾斜面の前端側に、手を置くことのできる手置き部が形成された構成とすることもできる。
こうすれば、更に手置き部に手（指先）を引っ掛けて、便器への立ち座り時に利用することができるものとなる。
【０００７】
また、本発明の肘掛けは、前記肘置き部および前記傾斜面は表面が軟質材で構成することもできる。
こうすれば、肘を痛めることなく、良好に体重を掛けて、便器への立ち座りが可能となる。
【発明を実施するための最良の形態】
【０００８】
次に、本発明を実施するための最良の形態を実施例を用いて説明する。
図１は、トイレ内の斜視構成図であり、トイレ１内には便器２が設置されており、この便器２の右側方の壁面３には肘掛け４が設置されている。
便器２への着座時あるいは便器２から立ち上がる時に、この肘掛け４に肘を載せて体重を掛け、便器２への立ち座りを良好に行うことができるものである。
【０００９】
この肘掛け４の使用状態の正面図を図２に示す。
肘掛け４は、木材等の芯材の回りに例えば発泡ウレタンを配設し、この発泡ウレタンの外周を合成皮革で包囲して、表面側にクッション性が付与されたものである。
この肘掛け４の上面側の後部部位には、湾曲状に凹ませて、人の肘１０ａを置くことのできる肘置き部４１が形成されており、この肘置き部４１の後側には、上方へ膨出状に立ち上げて立ち上がり部４２が連続状に形成されている。また、肘置き部４１の前側には、前端側に向かって上傾状に傾斜面４３が連続状に形成されており、傾斜面４３の上端には、人の手１０ｃを置くことのできる手置き部４４が形成されている。この手置き部４４の前端は、後方側へ下傾した前端傾斜部４５となっており、前端傾斜部４５の下端に、略水平な底面４７が形成されている。また、底面４７の後端には、略垂直に立ち上げた後端部４６が、その上端を立ち上がり部４２に連続させて形成されている。
【００１０】
なお、この肘掛け４の左右側面は、平行な垂直状の側面４８となっている。
この肘掛け４は、肘１０ａを肘置き部４１に置き、傾斜面４３上に前腕１０ｂを載せることができ、且つこの状態で、手置き部４４に手１０ｃを置くことのできる程度の前後方向寸法に設定されている。
【００１１】
このような肘掛け４では、肘置き部４１に肘１０ａを載せて、肘掛け４に体重を掛ける時に、立ち上がり部４２が形成されているため、良好に立ち上がり部４２に肘１０ａが引っ掛かって、肘１０ａに力が入りやすくなり、また、傾斜面４３は底面４７に対し略３０度程度上傾した傾斜角度に形成されており、前腕１０ｂにも力が入りやすく、そのため、握力がなくなってしまった高齢者や障害者でも肘１０ａおよび前腕１０ｂに全体重を掛けて、肘掛け４に寄りかかるようにして立ち座りをすることができ、握力のない人でも便器２に着座する時、あるいは便器２から立ち上がる時に、この肘掛け４を使用することにより良好に立ち座りが行えるものとなる。
なお、握力が残っている人は、更に手１０ｃを手置き部４４に載せて、手をこの手置き部４４に引っ掛けることにより更に力が入りやすく、姿勢を良好に保持できるものとなるが、手置き部４４がなくても良く、指を引っ掛けることができるようにするだけでも良い。
【００１２】
次に、図３の斜視図で示す肘掛け４は変更例であり、この図３の肘掛け４では、肘置き部４１の幅方向中央部に、下方側へ円形状に凹ませて肘用凹部４１ａを形成したものである。
さらに手置き部４４には、幅方向に間隔をおいて複数の指用凹部４４ａを凹み状に形成したものである。
その他の形状は図２のものと同様であり、その説明は同一符号を付して省略する。
【００１３】
この図３の肘掛け４では、肘用凹部４１ａ内に肘１０ａをすっぽりと入れることができ、そのため、肘１０ａがずれることがなく、より安定して肘掛け４を使用することができるものとなる。さらに指用凹部４４ａ内に指を嵌め込むことで、良好に指を引っ掛けて身体を安定させることが可能となる。
【００１４】
次に、図４は更なる変更例を示すものであり、図４の肘掛けは、肘置き部４１から傾斜面４３の前端付近に亘り、前後方向に凹み状に前腕用凹溝４３ａを形成したものであり、また、立ち上がり部４２には、幅方向へ延びる複数の滑り止め突条４２ａを形成し、さらに手置き部４４には、幅方向に間隔をおいて複数の滑り止め用の突起４４ｂを形成したものである。
その他の形状は図２のものと同一であり、同一部分には同一符号を付してその説明を省略する。
【００１５】
この図４の肘掛け４では、肘１０ａおよび前腕１０ｂを前腕用凹溝４３ａ内に入れ込んで安定させることができ、肘１０ａが滑ることがないために全体重を肘掛け４に掛けやすくなり、全体重を掛けて肘掛け４に寄りかかるようにして使用することができるものとなる。
さらに滑り止め突条４２ａが形成されているため、この部分を持つ際にも手が滑ることがなく、さらに突起４４ｂに手の裏を載せて、手が滑らない状態を確保でき、手にも力が入りやすいものとなり、使用時に姿勢を保持しやすいものとなる。
【００１６】
さらに図５は異なる変形例を示すものであり、図５では、図２の肘掛け４の壁３側の側面４８に、一体状に立ち上げて壁面側クッション部４９を形成したものであり、この壁面側クッション部４９も、例えば芯材の回りに発泡ウレタンを配設し、外周は合成皮革で形成して、肘置き部４１，傾斜面４３，手置き部４４と連続した一体感を呈するように、全体を同一の合成皮革で包囲させて形成しておくことができ、このような肘掛け４を壁面３に設置することにより、肘置き部４１に肘を載せ、傾斜面４３に前腕を載せ、手置き部４４に手を置いて全体重を掛ける際に、壁面側クッション部４９に寄りかかることができて、より良好な使用状態が得られ、便器２への着座時および便器２からの立ち上がり時に全体重をこの肘掛け４に掛けて良好に立ち座り行為を行うことができるものとなる。
【図面の簡単な説明】
【００１７】
【図１】肘掛けが設置されたトイレの斜視構成図である。
【図２】肘掛けの使用状態の正面構成図である。
【図３】肘掛けの変更例を示す斜視構成図である。
【図４】さらに異なる変更例を示す肘掛けの斜視構成図である。
【図５】さらに異なる変更例を示す肘掛けの斜視構成図である。
【符号の説明】
【００１８】
１  トイレ
２  便器
３  壁面
４  肘掛け
１０ａ  肘
１０ｂ  前腕
１０ｃ  手
４１  肘置き部
４１ａ  肘用凹部
４２  立ち上がり部
４２ａ  滑り止め突条
４３  傾斜面
４３ａ  前腕用凹溝
４４  手置き部
４４ａ  指用凹部
４４ｂ  突起
４５  前端傾斜部
４６  後端部
４７  底面
４９  壁面側クッション部
【図１】
2009119081.tif 000003
【図２】
2009119081.tif 000004
【図３】
2009119081.tif 000005
【図４】
2009119081.tif 000006
【図５】
2009119081.tif 000007